(57)【要約】【課題】  蓋を嵌めやすくしつつも、外れにくい包装用容器を提供する。【解決手段】  上端が周側枠２よりも上方に突出する上方から下方への折返部１８が容器本体１のコーナー部に設けられ、該折返部１８の上端側である凸部１９と、蓋３のコーナー部に設けられた凹部４１とが凹凸嵌合することにより、蓋３を容器本体１に着脱自在に取り付けるようにする。これにより、容器本体１と蓋３との嵌合力が高められるが、凹凸嵌合は容器の全周で行われるわけではないので、蓋３を容器本体１に嵌めにくいといった不都合も生じない。【選択図】図２
2009286450.tif 000002
【特許請求の範囲】
【請求項１】
容器本体と、該容器本体を取り囲むようにして取り付けられる周側枠と、容器本体及び周側枠のそれぞれ開口を覆うようにして容器本体に着脱自在に取り付けられる蓋とを備える包装用容器において、容器本体は、内容物の収容部を構成する本体部と、該本体部の外周に沿って設けられる外周部とを備えると共に、該外周部は、容器本体のコーナー部において、上端が周側枠よりも上方に突出する上方から下方への折返部を備える一方、蓋は、容器本体の本体部と共に内容物の収容部を構成する蓋本体部と、該蓋本体部の外周に沿って設けられる蓋外周部とを備えると共に、該蓋外周部は、蓋のコーナー部において、前記折返部の上端側である凸部に外嵌する凹部を備え、容器本体の凸部と蓋の凹部とが凹凸嵌合することにより、蓋が容器本体に着脱自在に取り付けられるよう構成されてなることを特徴とする包装用容器。
【請求項２】
前記容器本体の凸部は、所定箇所に係合用凸部又は係合用凹部の何れか一方を備え、前記蓋の凹部は、容器本体の係合用凸部又は係合用凹部の何れか一方と係合する係合用凸部又は係合用凹部の何れか他方を備えてなる請求項１に記載の包装用容器。
【請求項３】
前記容器本体の折返部は、容器本体の各辺の中間部に向かうに従って漸次低くなるよう構成されてなる請求項１又は２に記載の包装用容器。
【発明の詳細な説明】
【技術分野】
【０００１】
本発明は、食品を収容するのに適した包装用容器に関する。
【背景技術】
【０００２】
従来から、弁当、寿司、惣菜、肉や刺身等の生鮮品、調理素材といった各種の食品を収容する包装用容器として、発泡プラスチックからなる周側枠の内側に食品の収容部を有するプラスチック製の容器本体を配置し、透明な蓋体で覆うようにした包装用容器が知られている。この種の包装用容器は、容器本体の外周に周側枠を設けているので、容器本体と蓋体とからなる包装用容器よりも見栄えが良くなり、商品価値を高めることができるといった利点があり、さらに、内容物を加熱するために電子レンジにかける場合であれば、周側枠が備える断熱性のために持ち手が熱くならないといった利点がある。
【０００３】
この種の包装用容器は、図６（ａ）に示す如く、蓋５２が周側枠５１よりもやや大きく、そのため、蓋５２が周側枠５１と共に容器本体５０の開口を覆うようにして容器本体５０に取り付けられ、容器本体５０のうち、周側枠５１よりも上方に突出する外周部に凹部５３が設けられる一方、蓋５２には、該凹部５３と係合する凸部５４が設けられ、凹部５３と凸部５４とが嵌合することにより、蓋３が容器本体１に着脱自在に取り付けられる、いわゆる外嵌合タイプのものが知られている（特許文献１）。
【特許文献１】特開２００４−８３０８９号公報
【発明の開示】
【発明が解決しようとする課題】
【０００４】
しかしながら、上記特許文献１に記載の包装用容器は、電子レンジなどで加熱した際に、容器内の食品から生じた蒸気により蓋５２が加熱されて、蓋５２の外周縁が外方に変形した場合には、図６（ｂ）に示す如く、嵌合状態が解除されるおそれがあった。
【０００５】
そこで、本発明は、上記問題に鑑みてなされたもので、蓋を嵌めやすくしつつも、外れにくい包装用容器を提供することを課題とする。
【課題を解決するための手段】
【０００６】
本発明に係る包装用容器は、上記課題を解決すべく構成されたもので、容器本体と、該容器本体を取り囲むようにして取り付けられる周側枠と、容器本体及び周側枠のそれぞれ開口を覆うようにして容器本体に着脱自在に取り付けられる蓋とを備える包装用容器において、容器本体は、内容物の収容部を構成する本体部と、該本体部の外周に沿って設けられる外周部とを備えると共に、該外周部は、容器本体のコーナー部において、上端が周側枠よりも上方に突出する上方から下方への折返部を備える一方、蓋は、容器本体の本体部と共に内容物の収容部を構成する蓋本体部と、該蓋本体部の外周に沿って設けられる蓋外周部とを備えると共に、該蓋外周部は、蓋のコーナー部において、前記折返部の上端側である凸部に外嵌する凹部を備え、容器本体の凸部と蓋の凹部とが凹凸嵌合することにより、蓋が容器本体に着脱自在に取り付けられるよう構成されてなることを特徴とする。
【０００７】
かかる構成によれば、容器本体の凸部を内側及び外側から挟み込んで蓋の凹部が嵌合するように機能する。このような容器本体と蓋との嵌合構造（蓋の取り付け構造）は、いわゆる内外嵌合タイプとなるため、従来の包装用容器に比べて嵌合力が強く、蓋が外周縁外方へ変形することを抑制し、蓋が不用意に外れたりすることはなくなる。しかも、その内外嵌合タイプからなる容器本体と蓋との嵌合構造が包装用容器の全周に亘って設けられるとすれば、その嵌合力の強さにより、逆に蓋を嵌めにくいという問題が生じるが、本発明では、部分的に嵌合構造を設けているため、そのような問題が生じることもない。即ち、本発明に係る包装用容器によれば、蓋を嵌めやすくしつつも、外れにくい、といった一見相反する二つの事項を解決することができるのである。
【０００８】
また、本発明に係る包装用容器は、前記容器本体の凸部は、所定箇所に係合用凸部又は係合用凹部の何れか一方を備え、前記蓋の凹部は、容器本体の係合用凸部又は係合用凹部の何れか一方と係合する係合用凸部又は係合用凹部の何れか他方を備える構成を採用することができる。
【０００９】
かかる構成によれば、容器本体の凸部全体と蓋の凹部全体との嵌合に際し、それぞれ係合用凸部と係合用凹部とを係合させることにより、容器本体への蓋の取り付け状態をより確実に維持することができるようになる。
【００１０】
また、本発明に係る包装用容器は、前記容器本体の折返部は、容器本体の各辺の中間部に向かうに従って漸次低くなるような構成を採用することができる。
【００１１】
かかる構成によれば、容器に収容された内容物をより視認しやすくすることができ、弁当や惣菜など、消費者による購買意欲の向上が期待できる。
【発明の効果】
【００１２】
以上の如く、本発明は、容器本体に部分的に設けられた凸部と、蓋に部分的に設けられた凸部とが凹凸嵌合し、容器本体と蓋との嵌合構造がいわゆる内外嵌合タイプとなるため、嵌合構造が部分的にしか設けられていなくても、容器本体と蓋との嵌合力は強く、不用意に蓋が外れてしまうことを好適に防止することができ、且つ、蓋を嵌めやすく、外しやすいという相反する効果を満足することができる。
【発明を実施するための最良の形態】
【００１３】
以下、本発明の一実施形態に係る包装用容器（以下、単に「容器」という）について、図面を参酌しつつ説明する。尚、上記従来の包装用容器に関する説明のうち、本実施形態に係る包装用容器にも共通する部分については、本実施形態に係る包装用容器に関する説明として、それを援用可能であることは言うまでもない。また、以下の説明において、「外方」、「内方」なる用語が用いられることがあるが、「外方」とは、容器の中心から見て水平方向に広がる方向をいい、「内方」とは、水平方向において外側から容器の中心側に向かう方向をいう。但し、これら「外方」、「内方」なる用語は、水平方向と一致する場合のみならず、それに対してある程度の角度範囲で傾斜する方向も含むものである。
【００１４】
図１は、本実施形態に係る容器の平面図を示す。容器は、容器本体１と、該容器本体１の外周を取り囲むようにして容器本体１の外周縁に取り付けられる周側枠２と、容器本体１に着脱自在に取り付けられる蓋３とを備える。言い換えれば、容器は、周側枠２の内側に容器本体１が設けられ、該容器本体１を蓋体３で覆うように構成したものである。尚、図１においては、蓋３は、一部（右上の四分の一の領域）のみ表され、それ以外は表していない。従って、図１の右上の四分の一の領域は、蓋３が容器本体１及び周側枠２を覆った状態で表され、その他の四分の三の領域は、蓋３が無い状態、即ち、容器本体１及び周側枠２が露出した状態で表される。
【００１５】
容器は、閉蓋状態、即ち、容器本体１に蓋３が取り付けられた状態で、略直方体をなす、いわゆる角形容器である。そのため、容器は、平面視にて四角形（長方形）を呈しており、容器本体１、周側枠２、蓋３の何れもが平面視にて四角形を呈する。但し、厳密に言えば、容器の各コーナー部は、直角ではなく、角を取って丸みが付けられる。本実施形態においては、このコーナー部（容器の四隅）において、容器本体１と蓋３との嵌合構造が採用され、容器本体１に蓋３を着脱自在に取り付けることができるようになっているが、これについては後述する。
【００１６】
容器本体１及び蓋３は、プラスチックシート（合成樹脂製シート）を成形して構成され、プラスチックとしては、例えば、ポリプロピレン（ＰＰ）、ポリエチレンテレフタレート（ＰＥＴ）、あるいはポリスチレン（ＰＳ）等の材質が用いられる。また、容器本体１は、着色が施されて不透明であってもよく、蓋３を介して内容物を視認することができる点で、蓋３は透明であるのが好ましい。一方、周側枠２は、発泡プラスチック製の帯状素材を容器本体１の外周縁に沿うようにして四角形（方形）に折り曲げ、さらに、端部同士を接着剤で固定したものである。周側枠２は、高級感を醸し出すために外側表面に木目等の装飾が施されるようにしてもよい。
【００１７】
蓋３の大きさは、周側枠２の大きさと同じかそれよりもやや大きく構成され、蓋３の外周縁が周側枠２の外側に張り出すように構成されている。また、その外周縁は、図示しないが、プレスによる細かな凹凸加工やエンボス加工を施すことにより、側面視にて波形（正弦波、三角波、台形波等）の外縁線、即ち、直線ではない外縁線を備えるようになっている。これらにより、蓋３の外周縁のエッジの鋭利さが解消されるため、蓋３を開閉する際の指先を保護することができ、また、包装フィルム（図示しない）を使用してラッピングする際に包装フィルムが裂断するのを防止することができる。さらに、蓋３の外周縁の強度が増し、蓋３が裂断するのを防止する効果もある。尚、蓋３の外周縁の一部に開蓋用の指掛けを設けてもよく、また、上記した外周縁のエッジの鋭利さを解消するための種々の施策は、容器本体１の外周縁に施してもよい。
【００１８】
図２は、容器本体１と蓋３との嵌合構造が設けられる容器のコーナー部における拡大断面図（図１のＡ−Ａ線断面図）を示す。容器本体１は、大きく分けると、（下方に）窪んで食品の収容部を構成する本体部１０と、該本体部１０の外周に沿って設けられる外周部１３とからなる。また、蓋３は、大きく分けると、（上方に）膨らんで容器本体１の本体部１０と共に食品の収容部を概略的に構成する蓋本体部３０と、該蓋本体部３０の外周に沿って設けられる蓋外周部３４とからなる。
【００１９】
容器本体１の本体部１０は、底部１１と、該底部１１の外周から上方に延びる（立ち上がる）、より詳しくは、上方側ほど外方に膨らむように傾斜して上方に延びる、食品の収容部の周壁を構成する周壁部１２とからなる。底部１１は、さらに、底面部１１ａと、該底面部１１ａの周りに配置される環状凹部１１ｂとからなり、周壁部１２は、環状凹部１１ｂにて底部１１と接続される。このように、容器本体１は、底が平坦で、上方に向かって横断面積が漸次増加する形状となっている。また、容器本体１の底部１１は、周側枠２の下端よりも高い位置に設定され、容器本体１の底を浮かせるようにしている。このような構成は、容器本体１を積み重ねて載置するのに適している。
【００２０】
容器本体１の外周部１３は、周壁部１２からさらに上方に延びる（立ち上がる）、より詳しくは、傾斜することなく上方に延びる起立部１４と、該起立部１４から外方に延びる（張り出す）、より詳しくは、傾斜することなく外方に延びる頂部１５と、該頂部１５から下方に延びる（垂下する）、より詳しくは、傾斜することなく下方に延びる垂下部１６と、該垂下部１６から外方に延びる（張り出す）、より詳しくは、階段状に屈曲しつつ外方に延びる取付部１７とからなる。
【００２１】
垂下部１６は、さらに、起立部１４と対峙し且つ該起立部１４に対応した高さを有する第一部位１６ａと、該第一部位１６ａから下方に延び（垂下し）、周壁部１２と対峙する第二部位１６ｂとからなる。周壁部１２の上端、即ち、起立部１４の下端は、垂下部１６の第二部位１６ｂの上端、即ち、垂下部１６の第一部位１６ａの下端、と同じ又は略同じ高さ位置に設定され、しかも、それは、周側枠２の上端と同じ又は略同じ高さ位置に設定されている。
【００２２】
そこで、起立部１４、頂部１５及び垂下部１６は、容器本体１の外周部１３において、上方から下方に折り返される折返部１８を構成し、また、起立部１４、頂部１５及び垂下部１６の第一部位１６ａは、容器本体１の外周部１３において、（上方に）膨らんだ凸部１８ａ、より詳しくは、周側枠２よりも上方に突出した凸部１８ａを構成する。即ち、凸部１８ａは、折返部１８の一部であり、より詳しくは、折返部１８の上端側に位置する構成である。
【００２３】
取付部１７は、周側枠２の内壁に設けられた、より詳しくは、内壁のうち、中間箇所よりも上方箇所にて周回方向に沿って設けられたスリット２１に挿入され、例えば、取付部１７を固着するために接着剤（図示しない）を使用して容器本体１と周側枠２とを一体化させる。尚、容器本体１と周側枠２を一体化する手段としては、接着剤や熱融着といった固着手段に限定されず、例えば、取付部１７が周側枠２の内壁又はスリット２１に食い込むようにしてもよいし、取付部１７がスリット２１から脱落することが無いのであれば、接着剤や熱融着といった固着手段を用いることなく、単に周側枠２を容器本体１の周りに巻いて取り付けるだけであってもよい。
【００２４】
蓋本体部３０は、天井部３１と、該天井部３１の外周から下方に延びる（垂下する）、より詳しくは、下方側ほど外方に膨らむように傾斜して下方に延びる、食品の収容部の周壁を構成する周壁部３２と、該周壁部３２から外方に延びる（張り出す）、より詳しくは、傾斜することなく外方に延びる段落部３３とからなる。このように、蓋３は、天井が平坦で、下方に向かって横断面積が漸次増加する形状となっている。
【００２５】
蓋外周部３４は、段落部３３から上方に延びる（立ち上がる）、より詳しくは、傾斜することなく上方に延びる起立部３５と、該起立部３５から外方に延びる（張り出す）、より詳しくは、傾斜することなく外方に延びる頂部３６と、該頂部３６から下方に延びる（垂下する）、より詳しくは、傾斜することなく下方に延びる垂下部３７と、該垂下部３７から外方に延びる（張り出す）、より詳しくは、傾斜することなく外方に延びる第一鍔部３８と、該第一鍔部３８から下方に延びる（垂下する）、より詳しくは、傾斜することなく下方に延びる第二鍔部３９と、該第二鍔部３９から外方に延びる（張り出す）、より詳しくは、傾斜することなく外方に延びる縁部４０（容器の外周縁）とからなる。
【００２６】
段落部３３の先端、即ち、起立部３５の下端は、第一鍔部３８の基端、即ち、垂下部３７の下端、と同じ又は略同じ高さ位置に設定され、しかも、それは、周側枠２の上端と同じ又は略同じ高さ位置に設定されている。そして、起立部３５は、容器本体１の起立部１４より僅かに高く形成され、該起立部１４と密接又はそれに近い状態で対峙する。頂部３６は、容器本体１の頂部１５より僅かに幅広に形成され、該頂部１５と密接又はそれに近い状態で対峙する。垂下部３７は、容器本体１の垂下部１６の第一部位１６ａよりも僅かに高く形成され、該第一部位１６ａと密接又はそれに近い状態で対峙する。
【００２７】
そのため、起立部３５、頂部３６及び垂下部３７は、蓋外周部３４において、（上方に）窪んだ凹部４１、より詳しくは、周側枠２よりも上方に位置して下方が開放された凹部４１を構成する。そして、該凹部４１が容器本体１の凸部１８ａに外嵌する、言い換えれば、容器本体１の凸部１８ａが蓋３の凹部４１に嵌入することにより、蓋３は、容器本体１に着脱自在に取り付けられる。
【００２８】
容器本体１の凸部１８ａは、（内方に）膨らんだ係合用凸部１９を備える一方、蓋３の凹部４１は、（内方に）窪んだ係合用凹部４２を備える。該係合用凹部４２は、蓋３が容器本体１に取り付けられ、蓋３の凹部４１が容器本体１の凸部１８ａに外嵌した状態で、係合用凸部１９と係合するようになっている。しかも、係合用凸部１９及び係合用凹部４２は、容器本体１に対する蓋３の着脱方向と交差する方向において凹凸係合（あるいは凹凸嵌合）するため、この凹凸係合（凹凸嵌合）の部分においては簡単に外せられないような構造となっている。そうであるから、係合用凸部１９を備える容器本体１の凸部１８ａは、嵌合凸部としての機能を有する一方、係合用凹部４２を備える蓋３の凹部４１は、嵌合凹部としての機能を有し、このような容器本体１と蓋３との嵌合構造（蓋の取り付け構造）は、いわゆる内外嵌合タイプとなっている。
【００２９】
係合用凸部１９及び係合用凹部４２についてより詳しく言及すると、係合用凸部１９は、起立部１４の頂部１５側の部位が容器本体１の中心側に向かって突出するように成形され、外面側が係合用凸部１９として機能する一方、係合用凹部４２は、起立部３５の頂部３６側の部位が蓋３の中心側（容器本体１の中心側と同じ）に向かって突出するように成形され、内面側が係合用凹部４２として機能する。別の言い方をすれば、係合用凸部１９は、凸部１８ａのうち、内側の側壁（起立部１４）が内方に膨らむように形成される一方、係合用凹部４２は、凹部４１のうち、内側の側壁（起立部３５）が内方（蓋３の中心側）に窪むように形成され、係合用凸部１９の膨らみが係合用凹部４２の窪みに係入することにより、容器本体１と蓋３とが一体化される。
【００３０】
このような内外嵌合は、見方を変えて捉えることができる。即ち、凹部４１に形成されるのが係合用凹部４２ではなく、同じく係合用凸部４３が形成されるものとみなすことができる。そうなると、蓋３の凹部４１の係合用凸部４３が、それよりも上方に位置する容器本体１の凸部１８ａの係合用凸部１９に係止されることにより、容器本体１の凸部１８ａと蓋３の凹部４１とが凹凸嵌合するとみなすこともできる。
【００３１】
凹部４１の係合用凸部４３についてより詳しく説明すると、該係合用凸部４３は、蓋３の凹部４１から（外方に）膨らんだものである。即ち、係合用凸部４３は、起立部３５の段落部３３側の部位が容器本体１の中心側と反対側に向かって突出するように成形され、内面側が係合用凸部４３として機能する。別の言い方をすれば、係合用凸部４３は、凹部４１のうち、内側の側壁（起立部３５）が外方に膨らむように形成され、係合用凸部４３の膨らみが係合用凸部１９の膨らみを乗り越えて係合用凸部１９に上方から係止されることにより、容器本体１と蓋３とが一体化される。
【００３２】
前記第一鍔部３８は、周側枠２の上面と対峙し、該上面に重ねられる部位であり、前記第二鍔部３９は、周側枠２の上端側の外面と対峙し、該外面に重ねられる部位であり、そのため、周側枠２の上端に第一鍔部３８、第二鍔部３９及び縁部４０からなる外周縁部４４が覆い被せられる。これにより、容器本体１の開口はもちろん、周側枠２の開口が蓋３（の外周縁部４４）によって完全に覆われ得る。尚、上述した蓋３の外周縁のエッジの鋭利さを解消するための種々の施策は、縁部４０に施されるものである。
【００３３】
ところで、容器本体１の凸部１８ａ（周側枠２から上方に突出する部位）は、図３に示す如く、容器本体１のコーナー部（容器本体１の四隅）に意図して設けられるものである。従って、容器本体１の各辺の中間部では、凸部１８ａは小さくなっているか、無くなっている。より詳しくは、容器本体１のコーナー部における凸部１８ａは、所定範囲においては一定形状であるのに対し、そこから外れると、各辺の中間部に向かうに従って漸次縮小していく形状となっており、各辺の中間箇所には形成されていない形態になっている。これは、容器本体１の長辺側（同図（ａ））、短辺側（同図（ｂ））の何れにおいてでもある。
【００３４】
また、言い方を変えると、容器本体１の折返部１８（容器本体１の本体部１０と容器本体１の取付部１７とを連結する部位）の上端側は、容器本体１のコーナー部の所定範囲においては一定形状であるのに対し、そこから外れると、各辺の中間部に向かうに従って漸次低くなり、各辺の中間箇所にて最も低くなって周側枠２の上端と同じ又は略同じ高さ位置になる。これは、容器本体１の長辺側（同図（ａ））、短辺側（同図（ｂ））の何れにおいてでもある。
【００３５】
また、係合用凸部１９及び係合用凹部４２（係合用凸部４３）も、辺に沿って形成され、容器本体１あるいは蓋３のコーナー部においてのみ形成される（図１参照）。尚、係合用凸部１９及び係合用凹部４２（係合用凸部４３）は、各コーナー部において、互いに交差する二辺のそれぞれに一対ずつ設けられている。
【００３６】
本実施形態に係る容器は、以上の構成からなり、容器本体１と蓋３とを部分的に嵌合させた内外嵌合構造としているので、従来の容器に比べて、嵌合力が強く、さらに、蓋３が熱などにより変形しにくい構造となっている。しかも、その内外嵌合構造が容器本体１と蓋３との全周に亘って設けられていないので、その嵌合力の強さにより、逆に蓋３を嵌めにくい、また、外しにくいという問題が生じることもない。即ち、本実施形態に係る容器によれば、蓋３を嵌めやすくしつつも、外れにくい、といった一見相反する二つの事項を簡潔な構成によって解決したものであり、電子レンジ加熱した場合でも不用意に外れない極めて有用なものとなり得る。
【００３７】
また、容器本体１の各辺の中間部では、コーナー部における段落部３３が形成されておらず、該段落部３３は、周壁部３２に吸収された格好となる。そのため、容器本体１の各辺の中間部では、周壁部３２の傾斜が緩やかになっており、且つ、その先端が外方にせり出すようになっている。この点、容器のコーナー部における外観と、容器の各辺の中間部における外観とが大きく異なることになり、全体のデザインを斬新なものにすることが可能となる。
【００３８】
尚、本発明は、上記実施形態に限定されるものではなく、本発明の要旨を逸脱しない範囲で種々の変更が可能である。
【００３９】
例えば、上記実施形態においては、容器本体１の凸部１８ａ、蓋３の凹部４１、のそれぞれ端部（詳しくは、上端部）に、係合用凸部１９や係合用凹部４２を設けるようにしているが、図４（ａ）に示す如く、途中箇所に設けるようにしてもよい。また、上記実施形態においては、係合用凸部１９を容器本体１の凸部１８ａ側に、係合用凹部４２を蓋３の凹部４１側に、設けているが、同図に示す如く、容器本体１の凸部１８ａに係合用凹部１９’を設けると共に、蓋３の凹部４１に係合用凸部４２’を設けるようにしてもよい。
【００４０】
また、上記実施形態においては、容器本体１の凸部１８ａのうち、内側の側壁（起立部１４）に係合用凸部１９を設けると共に、蓋３の凹部４１のうち、内側の側壁（起立部３５）に係合用凹部４２を設けるようにしているが、図４（ｂ）に示す如く、係合用凸部１９''や係合用凹部４２''を外側の側壁に設けるようにしてもよい。
【００４１】
また、上記実施形態においては、容器本体１の垂下部１６を周側枠２の途中箇所まで垂下させ、該周側枠２の内壁に設けたスリット２１に固定するようにしているが、図４（ｃ）に示す如く、垂下部１６’を周側枠２の下面にまで延ばし、垂下部１６’の先の取付部１７’を周側枠２の下面に熱融着等の固着手段で取り付けるようにしてもよい。
【００４２】
また、上記実施形態においては、係合用凸部１９を備える容器本体１の凸部１８ａと、係合用凹部４２を備える蓋３の凹部４１とを嵌合させるようにしているが、凸部や凹部の構造はこれに限定されるものではない。例えば、図５に示す如く、係合用凸部や係合用凹部を設けることなく、基端側が幅狭（先端側が幅広）となる凸部１８ａ’及び凹部４１’によって内外嵌合するようにしてもよい。尚、同図（ａ）に示すものは、凸部１８ａ’及び凹部４１’のそれぞれ外側の側壁を傾斜させることにより、凸部１８ａ’及び凹部４１’の基端側を幅狭にする例であり、同図（ｂ）に示すものは、凸部１８ａ’及び凹部４１’のそれぞれ内側の側壁を傾斜させることにより、凸部１８ａ’及び凹部４１’の基端側を幅狭にする例である。
【図面の簡単な説明】
【００４３】
【図１】本発明の一実施形態に係る包装用容器の平面図を示す。
【図２】図１のＡ−Ａ線断面図を示す。
【図３】（ａ）は、図１のＢ矢視図、（ｂ）は、図１のＣ矢視図、を示す。
【図４】（ａ）〜（ｃ）は、それぞれ本発明の他実施形態に係る包装用容器の要部拡大断面図を示す。
【図５】（ａ）〜（ｂ）は、それぞれ本発明のさらなる他実施形態に係る包装用容器の要部拡大断面図を示す。
【図６】従来の包装用容器の要部拡大断面図であって、（ａ）は、閉蓋状態、（ｂ）は、熱等の原因により蓋の外周縁が外方へ変形してしまった状態、を示す。
【符号の説明】
【００４４】
１…容器本体、１０…本体部、１１…底部、１１ａ…底面部、１１ｂ…環状凹部、１２…周壁部、１３…外周部、１４…起立部、１５…頂部、１６…垂下部、１６ａ…第一部位、１６ｂ…第二部位、１７…取付部、１８…折返部、１８ａ…凸部（嵌合凸部）、１９…係合用凸部、２…周側枠、２１…スリット、２２…接着剤、３…蓋、３０…蓋本体部、３１…天井部、３２…周壁部、３３…段落部、３４…蓋外周部、３５…起立部、３６…頂部、３７…垂下部、３８…第一鍔部、３９…第二鍔部、４０…縁部、４１…凹部（嵌合凹部）、４２…係合用凹部、４３…係合用凸部、４４…外周縁部
【図１】
2009286450.tif 000003
【図２】
2009286450.tif 000004
【図３】
2009286450.tif 000005
【図４】
2009286450.tif 000006
【図５】
2009286450.tif 000007
【図６】
2009286450.tif 000008